(57)【要約】【課題】工具を使うことなく簡単に取付孔に取り付けられ、かつ取り付けが不完全であっても、あるいは作業者が誤って踏んでも落下せず、かつ簡単に製造できるフィルタバグを提供するところにある。【解決手段】パッキンとスプリング板を包み縫いし上端外周に凹部を有する固定部をバグフィルタの仕切板の取付孔に嵌着させられるフィルタバグにおいて、一枚以上の落下防止布を前記固定部に縫着させ、前記落下防止布のループ部あるいは挿通孔に前記取付孔の径より大きな径を有するリングを挿通させる。【選択図】図１
2014144401.tif 000002
【特許請求の範囲】
【請求項１】
パッキンとスプリング板を包み縫いし外周に凹部を有する固定部をバグフィルタの仕切板の取付孔に嵌着させられるフィルタバグにおいて、
一枚以上の落下防止布を前記フィルタバグの内周部あるいは前記固定部に縫着させ、前記落下防止布のループ部あるいは挿通孔に前記取付孔の径より大きな径を有するリングを挿通させることを特徴とする。
【請求項２】
前記落下防止布に、フィンガーループを使用していることを特徴とする請求項１に記載のフィルタバグ。
【請求項３】
パッキンとスプリング板を包み縫いし外周に凹部を有する固定部をバグフィルタの仕切板の取付孔に嵌着させられるフィルタバグにおいて、
前記落下防止布に、テ―パ状の落下防止筒を使用し、落下防止筒の小径下端を、フィルタバグの内周部に縫着させ、大径状端にはリングが包み縫いされていることを特徴とする。
【発明の詳細な説明】
【技術分野】
【０００１】
本発明は、バグフィルタのフィルタバグ（バグともろ布ともいう）に関し、特にフィルタバグの取付に関する。
【背景技術】
【０００２】
バグフィルタは、焼却炉などの処理ガス中の煤塵をろ過捕集したり、トナーなどの有価粉体の製造プロセスにおいて気流中に含まれる製品（有価粉体）を回収する場合等に使用されるろ過式集塵装置であり、装置本体内には筒状に縫製したバグとバグリテーナから構成されたろ過筒が多数取り付けられ、処理ガスや気流をバグ表面でろ過して、清浄な空気を排出する。
【０００３】
バグで捕集した煤塵や有価粉体などの製品は、パルスジェット方式、逆圧方式などの払い落し方式でバグから払い落とされるのが一般的である。
ここでは、バグフィルタのパルスジェット方式を例に挙げ、以下図を参照しながら説明する。
【０００４】
図５は、パルスジェット方式によるバグフィルタ１の概略を示す断面図である。２はバグフィルタ本体であり、煤塵や有価粉体（以下「煤塵等」という）を含む処理ガスや気流（以下「処理ガス等」という）は側壁に設けられた流入口３から本体２内へ流入し、処理ガス等に含まれる煤塵等はバッフル板４に衝突して慣性分離され、粗塵が除去された処理ガス等はろ過室５内に入り、ろ過筒６でろ過される。
【０００５】
処理ガス等は上端が開口されたバグ７外面でろ過され、清浄な空気Ｂはろ過筒６内を上昇し、仕切板８によってろ過室６から仕切られた清浄室９を介して大気へ放出される。一方、バグ７外面に堆積した煤塵等は、ろ過筒６の上部に設けられたノズル１０からろ過筒６内に圧縮エアを瞬間的に噴射させてパルスジェット気流をつくり出し、堆積した煤塵等を払い落とす。払い落された煤塵等は、ホッパー１１に落下し、排出口１２から排出され、回収される。
【０００６】
ろ過室５と清浄室９を仕切る仕切板８には、ろ過筒６を取り付けるための複数の取付孔１３が設けられていて、バグ７と図示しないリテーナからなるろ過筒６を懸架する。取付孔１３は、１〜数個設けられているものから、数百個以上も設けられている規模の大きなものまでさまざまであり、取付孔１３のそれぞれに一つずつバグ７を取り付けなければならない。
【０００７】
そこで従来から、仕切板８の取付孔１３にバグ７を固定する手段として、図６に示すように、スプリング板１４の外周に、上下両端を内側に巻き込んだパッキン１５を添えて、両者を保持布１６で環状に包み、バグ７の上部に縫製糸１７で縫製して連結し、スプリング板１４の弾性によってパッキン１５の上下両端の巻き込みのない真ん中にできる外周凹部１８を取付孔１３に嵌着させる。これらはすべて手作業で確実に行う必要がある。
【０００８】
スプリング板１４の弾性力を利用し、パッキン１５によって形成された凹部１８を取付孔１３に嵌着させるこれらの手法は、取り付けの際に工具も不要で、凹部１８が取付孔１３に確実に嵌着されるならば、通常の運転時において、凹部１８が取付孔１３からはずれることなく安定して固定されるため、もっとも広く一般的に採用されているものである。
【０００９】
さらに、特許文献１では、上下二辺を内側に巻き込んで巻き込み部を形成させたパッキンを添えて、バグの上端部を折り返して両巻き込み部を包んだうえ、バグ本体と折り返し部とでパッキンの足部を挟んで縫製糸によって縫着し、スプリング板の弾性によって取付孔に嵌着させている。
【００１０】
また、特許文献２では、上下に平行する芯紐を内蔵したパッキンを折り返して、芯紐側の外側片と平らな内側片を形成し、外側片と内側片との間にスプリング板を包み込んだパッキンを、当て布又はバグを折り返してなる固定部材で包み、上下の芯紐の間の外側の固定部材に凹部を形成し、スプリング板の下方でパッキンと固定部材とを縫着して凹部を天板の取付孔に嵌着させている。
【先行技術文献】
【特許文献】
【００１１】
【特許文献１】実開平４−４５５１７号公報
【特許文献２】実開平７−５１０号公報
【発明の概要】
【発明が解決しようとする課題】
【００１２】
しかしながら、バグ７の仕切板８の取付孔１３への取り付けはすべて手作業であるため、数本ならいざ知らず、数十本から数百本に及ぶバグ7を一つ一つ取付孔１３へ取り付けていく過程においては、図７に示すように、凹部１８の取付孔１３への嵌着が不完全なものが数本まぎれてしまったり、作業者が作業中に誤って取付孔１３へ嵌着されたバグ７を踏み、凹部の嵌着が一部はずれてしまうといった人為的なミスが出てきてしまうことがある。さらに、不完全な嵌着状態は、仕切板の上からは、なかなか見つけづらいものがある。
【００１３】
そのような不完全な嵌着状態を一つでも残した状態でバグフィルタ１の運転を続けると、バグ７が取付孔１３から完全に外れて脱落し、最悪の場合はホッパー内にまでバグ７が落下してしまい、バグ７が排出口１２の図示しないダンパーやスクリューコンベアなどの排出装置に噛みこみ、場合によっては、それらの排出装置を破損させて、バグフィルタ１の運転そのものをやめて復旧に時間を取られてしまうこともある。さらに、ろ過対象物が製品（有価粉体）の場合には、製品にバグが混入して多大な損害が出ることもある。
【００１４】
また、こうした問題は、パッキンを二重に巻き込んで仕切板に嵌着させる特許文献１においても、取付孔への嵌着が不完全だったり、作業者が踏んでしまって嵌着が一部はずれた場合には、運転中にバグ７が取付孔から脱落してしまう。特許文献２においてもそれは同様で、さらに、特殊な形状のパッキンを特注しなければならないため製造のコスト高も避けられない。
【００１５】
本発明は、上述した課題を解決するものであって、その目的とするところは、従来のように工具を使うことなく簡単に取付孔に取り付けられ、かつ取り付けが不完全であっても、あるいは作業者が誤って踏んでも脱落した場合でもホッパー内にまで落下することを防ぎ、かつ簡単に製造できるフィルタバグを提供するところにある。
【課題を解決するための手段】
【００１６】
本発明は、パッキンとスプリング板を包み縫いし上端外周に凹部を有する固定部をバグフィルタの仕切板の取付孔に嵌着させられるフィルタバグにおいて、一枚以上の落下防止布を前記固定部に縫着させ、前記落下防止布のループ部あるいは挿通孔に前記取付孔の径より大きな径を有するリングを挿通させる。
【００１７】
このような構成によると、固定部が取付孔からはずれて脱落したときでも、取付孔より大きい径を有するリングによってフィルタバグがホッパーまで落下することを防止でき、煤塵や粉の排出装置が破損したり、落下したフィルタバグが製品へ混入することを防ぐことができる。
【００１８】
本発明の好ましい実施形態では、前記落下防止布に、フィンガーループを使用することもでき、簡単に落下防止手段を得ることができる。
【００１９】
本発明の好ましい実施形態では、落下防止布に、テ―パ状の落下防止筒を使用し、落下防止筒の小径下端を、フィルタバグ上端の内周に縫着させ、大径状端にはリングが縫着されている。
【００２０】
落下防止筒を利用することによって、万一フィルタバグが取付孔からはずれても、テーパ状の落下防止筒がフィルタの役割を果たし、ろ過室から清浄室へ煤塵等が漏れることを確実に防ぐことができる。
【発明の効果】
【００２１】
従来のフィルタバグをそのまま利用しつつ、複雑な構造にすることなく、フィルタバグのろ過室やホッパーへの落下を防ぐことができ、かつろ過室から清浄室へ煤塵等の漏れを防ぐことができる。
【図面の簡単な説明】
【００２２】
【図１】本発明に係る実施形態を示すフィルタバグ上端部の（ａ）断面図、（ｂ）平面図である。
【図２】本発明に係る別の実施形態を示すフィルタバグ上端部の（ａ）断面図、（ｂ）平面図である。
【図３】本発明に係る別の実施形態を示すフィルタバグ上端部の（ａ）断面図、（ｂ）落下防止筒の斜視図、（ｃ）フィルタバグが脱落した際の様子を示す断面図である。
【図４】落下防止布に設けた（ａ）挿通孔を示す図、（ｂ）挿通孔にリングを通した状態を上から見た平面図である。
【図５】一般的なバグフィルタの概略構成を示す断面図である。
【図６】従来例を示すフィルタバグ上端部の断面図である。
【図７】従来例のフィルタバグ上端部の一部が取付孔からはずれている様子を示す断面図である。
【発明を実施するための形態】
【００２３】
本発明に係る実施形態を、図を参照しながら説明する。なお、従来例と同じものについては、便宜上同じ符号を用いて説明を行う。
【００２４】
図１に示すように、バグ７上端にあるスプリング板１４とパッキン１５を包んだ保持布１６の上部に、保持布１６の円周の半分より狭い幅を有する方形の落下防止布１９を２枚、前記円周上の対角線上に配置し、その落下防止布１９の下端１９ａを縫製糸１７によって保持布１６に縫着する。そして落下防止布１９の自由端（上端）１９ｂは折り返され、下端１９ａと重ね合わせて保持布１６に縫着する。折り返された落下防止布１９のループ部１９ｃ内に、取付孔１３の直径より大きな径を有するリング２０を挿通させるようにするものである。
【００２５】
また、保持布１６を用いずに、スプリング板１４とパッキン１５をバグ７の上端を折り返して包み縫着してもよく、さらに、パッキン１５の巻き込み部については上下端の一つ折り返しても、２つに折り返してもかまわない。また、ここではパッキンはガスケットと違いはない。いずれにしても、スプリング板１４とパッキン１５を縫着し凹部１８を有する部分を固定部として、この固定部に落下防止布１９を縫着させる。
【００２６】
また、落下防止布１９は２枚で説明したが、固定部の円周をほぼ覆う一枚であってもよいし、円周状に３枚、４枚と均一の間隔をおいて縫着させるものであってもよい。
【００２７】
また、落下防止布１９をループ状にして上端と下端を重ね合わせて固定部に縫着させるのでなく、落下防止布１９の下端をフィルタバグ７の内周部あるいは固定部に縫着させて、上端（自由端）をループ状にして、そこにリング２０を挿通させてもよく、あるいは図４に示すように落下防止布１９に直接挿通孔１９ｄを設けて、そこにリング２０を挿通させてもよい。
【００２８】
このリング２０は一部切り欠き２０ａを有しており、バグ７の凹部１８を取付孔１３に固定させる際にはまだループ部に挿通させず、凹部１８を取付孔１３に嵌着させた後、リング２０を落下防止布１９のループ部１９ｃや挿通孔１９ｄに挿通させ、かしめてリングが抜け落ちないようにする。
また、リングは円形のものを図示しているが、取付孔１３より大きなものであれば楕円や多角形のものでも構わない。
【００２９】
あるいは、最初からリング２０をループ部１９ｃあるいは挿通孔１９ｄに通させていてもよい。この場合には、バグ７の固定部のスプリング板１４を十分に弾性変形させて取付孔１３に取り付けられるように落下防止布１９の上下方向の長さを一定以上持たせる必要がある。
【００３０】
また、フィルタバグ７は通常、手作業で仕切板８の上から取付孔１３に取り付けられるのであるが、作業者が手をすべらせてフィルタバグ７をろ過室５に落としてしまうことがある。そうなると作業効率が悪くなるため、図２に示すように布ベルトのような数センチ幅の紐を二重に折り返して、ループ状の部分２１ａに指を引っかけて作業を行えるようにするフィンガーループ２１が一つ以上フィルタバグ７の内周部あるいは保持布１６（あるいは固定部）に縫着させてある。
【００３１】
そこで、別の実施例として、図２に示すように、このフィンガーループ２１のループ部分２１ａを固定部の上端よりも上側に来るような長さにし、ここに前記リング２０を挿通させることもできる。この時、フィンガーループ２１は１つでもよいが、２つ以上設けられていることが望ましい。
【００３２】
フィンガーループ２１をループ状にして上端と下端を重ね合わせて固定部に縫着させるのでなく、フィンガーループ２１の下端をフィルタバグ7の内周部あるいは固定部に縫着させて、上端（自由端）をループ状にして、そこにリング２０を挿通させてもよく、あるいは図４に示すような直接挿通孔を設けて、そこにリング２０を挿通させてもよい。
【００３３】
ここで、リング２０が通される落下防止布１９やフィンガーループ２１の長さは、フィンガーループ２１へ指を引っかけて取付孔１３へ取り付けるときに取り付け作業に支障がでないような長さとし、リング２０の直径も取付孔１３から落ちない最低限の大きさをもつ直径として、万一取付孔１３からフィルタバグ７が脱落した場合の落下を防止する。
【００３４】
また図３（ｂ）に示すように、フィルタ用の布、樹脂やゴムなどのシートなど煤塵等が通過できない柔軟で縫製加工し易い素材を用いてテーパ状の円筒形状を有する落下防止筒２２を作成し、落下防止筒２２の大径側上端２２ａに、取付孔１３の直径より大きい径を有するリング２３を包み縫いし、小径の下端２２ｂをフィルタバグ７の上端内周に縫着させてもよい。そして、図３（ａ）に示すように、取付孔１３にフィルタバグ７を取り付けた後、リング２３を包み縫いした上端２２ａを、保持布１６の外周を覆うように仕切板８の上面に来るように折り返す。
【００３５】
図３（ｃ）が示すように、バグ７が取付孔１３からはずれて脱落しても、リング２３によって、落下は免れるとともに、落下防止筒２２によって、ろ過室５と清浄室９のダストシール性は保たれる。
【符号の説明】
【００３６】
１                   バグフィルタ
２                   バグフィルタ本体
３                   流入口
４                   整流板
５                   ろ過室
６                   ろ過筒
７                   フィルタバグ
８                   仕切板
９                   清浄室
１０               ノズル
１１               ホッパー
１２               排出口
１３               取付孔
１４               スプリング板
１５               パッキン
１６               保持布
１７               縫製糸
１８               凹部
１９               落下防止布
２０、２３    リング
２１               フィンガーループ
２２               落下防止筒
【図１】
2014144401.tif 000003
【図２】
2014144401.tif 000004
【図３】
2014144401.tif 000005
【図４】
2014144401.tif 000006
【図５】
2014144401.tif 000007
【図６】
2014144401.tif 000008
【図７】
2014144401.tif 000009